(57)【要約】      （修正有）【課題】検索結果を提供するサーバにおいて検索結果を確信度に応じて、編集し提供することを目的とする。【解決手段】本発明は、利用者端末とネットワークを介して通信可能とされ、利用者端末を一つ以上のグループで管理しており、利用者端末からの検索要求に応じた検索結果を該利用者端末に提供する情報提供サーバであって、検索結果を取得する検索結果取得手段と、ウェブサイトから提供される情報に対して設定者によりウェブ情報信頼度が設定され、ウェブ情報信頼度を蓄積するウェブ情報信頼度管理手段と、利用者端末のグループを特定し、特定したグループに基づいてウェブ情報信頼度管理手段からウェブ情報信頼度を取得し、取得したウェブ情報信頼度に基づいて検索結果取得手段で取得した検索結果を編集し、利用者端末に提供する編集手段とを有することを特徴とする。【選択図】図１
2008026990.tif 000002
【特許請求の範囲】
【請求項１】
利用者端末とネットワークを介して通信可能とされ、該利用者端末を一つ以上のグループで管理しており、該利用者端末からの検索要求に応じた検索結果を該利用者端末に提供する情報提供サーバであって、
検索結果を取得する検索結果取得手段と、
ウェブサイトから提供される情報に対して設定者によりウェブ情報信頼度が設定され、該ウェブ情報信頼度を蓄積するウェブ情報信頼度管理手段と、
前記利用者端末のグループを特定し、特定したグループに基づいて前記ウェブ情報信頼度管理手段から前記ウェブ情報信頼度を取得し、取得したウェブ情報信頼度に基づいて前記検索結果取得手段で取得した検索結果を編集し、前記利用者端末に提供する編集手段とを有することを特徴とする情報提供サーバ。
【請求項２】
前記編集手段は、前記利用者端末からの利用者情報に応じて前記利用者端末の前記グループを特定することを特徴とする請求項１記載の情報提供サーバ。
【請求項３】
前記検索結果取得手段は、検索サイトから検索結果を取得することを特徴とする請求項１記載の情報提供サーバ。
【請求項４】
前記利用者端末からの検索要求に応じてウェブサイトを検索する検索手段を有することを特徴とする請求項１記載の情報提供サーバ。
【請求項５】
前記編集手段は、ウェブサイトの参照者の要求により設定されたウェブ情報信頼度に基づいて前記検索結果を編集することを特徴とする請求項１乃至６のいずれか一項記載の情報提供サーバ。
【請求項６】
前記設定者に対して利用者により設定者信頼度が設定され、該設定者信頼度を蓄積する設定者信頼度管理手段を有し、
前記編集手段は、前記設定者信頼度と前記ウェブ情報信頼度とに基づいて前記検索結果を編集することを特徴とする請求項１記載の情報提供サーバ。
【請求項７】
利用者端末と、該利用者端末をグループ毎に管理する情報提供サーバがネットワークを介して通信可能とされており、該利用者端末からの検索要求に応じた検索結果を該情報提供サーバから該利用者端末に提供する情報提供システムであって、
前記情報提供サーバは、前記端末の検索要求に応じた検索結果を取得する検索結果取得手段と、
前記利用者端末のグループを特定し、特定したグループに基づいてウェブ情報信頼度を取得し、取得したウェブ情報信頼度に基づいて前記検索結果取得手段で取得した検索結果を編集し、前記利用者端末に提供する編集手段とを有することを特徴とする情報提供システム。
【請求項８】
前記利用者端末は、ウェブサイトを閲覧する閲覧手段と、
前記閲覧手段にアドインし、前記閲覧手段と協働して前記情報提供サーバに前記利用者端末の情報を送信する利用端末情報送信手段とを有することを特徴とする請求項７記載の情報提供システム。
【請求項９】
ネットワークを介して通信可能とされた利用者端末からの検索要求に応じた検索結果を情報提供サーバから該利用者端末に提供する情報提供方法であって、
前記利用者端末からの検索要求に応じた検索結果を取得する検索手順と、
前記利用者端末のグループを特定し、特定した前記利用者端末のグループに応じてウェブ情報信頼度を取得し、取得したウェブ情報信頼度に基づいて前記検索手順で取得した検索結果を編集し、前記利用者端末に提供する編集手順とを有することを特徴とする情報提供方法。
【請求項１０】
コンピュータに、
利用者端末からの検索要求に応じた検索結果を取得する検索結果取得手順と、
前記利用者端末のグループを特定し、特定した前記利用者端末のグループに応じてウェブ情報信頼度を取得し、取得したウェブ情報信頼度に基づいて前記検索手順で取得した検索結果を編集し、前記利用者端末に提供する編集手順とを実行させることを特徴とするコンピュータ読み取り可能なプログラム。
【発明の詳細な説明】
【技術分野】
【０００１】
本発明は情報提供サーバ及び情報提供システム、情報提供方法、並びに、プログラムに係り、特に、端末とネットワークを介して接続されており、端末からの検索要求に応じて情報を検索し、その検索結果を端末に提供する情報提供サーバ及び情報提供システム、情報提供方法、並びに、プログラムに関する。
【背景技術】
【０００２】
インターネットでは多くの有効な技術情報等が発信されており、利用者は検索エンジンを利用してこれらの中から必要な情報を検索することができる（例えば、特許文献１参照）。
【０００３】
検索エンジンによる検索結果は、例えば、検索数、あるいは、検索語との一致度に応じた順に表示されていた。利用者は、検索エンジンの検索結果に基づいて検索されたウェブサイトを順次に参照して、自らがウェブを参照して、自ら必要とする情報の信頼度を検討しているのが現状である。
【０００４】
なお、利用者のコンテンツの検索を容易にするために利用者の履歴や、利用者の評価情報を用いてコンテンツを提示する方法が提供されている（例えば、特許文献２参照）。
【特許文献１】特開２００５−２１５７８１号公報
【特許文献２】特許第３７０７３６１号公報
【発明の開示】
【発明が解決しようとする課題】
【０００５】
しかるに、従来の検索エンジンなどによる検索結果は、単に、検索数、あるいは、検索語との一致度に応じた順に表示されており、情報の信頼性などは利用者自らがウェブサイトを参照して、判断を行う必要があったため、情報の検索の効率が良くなかった。
【０００６】
また、利用者のコンテンツの検索を容易にするために利用者の履歴や、利用者の評価情報を用いてコンテンツを提示する方法においても、利用者の履歴や、利用者の評価情報に対する信頼度は不明であり、信頼しうる情報を効率よく検索することは困難であった。
【０００７】
本発明は上記の点に鑑みてなされたもので、信頼しうる情報を効率よく検索できる情報提供サーバ及び情報提供システム、情報提供方法、並びに、プログラムを提供することを目的とする。
【課題を解決するための手段】
【０００８】
本発明は、利用者端末とネットワークを介して通信可能とされ、利用者端末を一つ以上のグループで管理しており、利用者端末からの検索要求に応じた検索結果を該利用者端末に提供する情報提供サーバであって、検索結果を取得する検索結果取得手段と、ウェブサイトから提供される情報に対して設定者によりウェブ情報信頼度が設定され、ウェブ情報信頼度を蓄積するウェブ情報信頼度管理手段と、利用者端末のグループを特定し、特定したグループに基づいてウェブ情報信頼度管理手段からウェブ情報信頼度を取得し、取得したウェブ情報信頼度に基づいて検索結果取得手段で取得した検索結果を編集し、利用者端末に提供する編集手段とを有することを特徴とする。
【０００９】
編集手段は、利用者端末からの利用者情報に応じて利用者端末のグループを特定することを特徴とする。
【００１０】
検索結果取得手段は、検索サイトから検索結果を取得することを特徴とする。
【００１１】
利用者端末からの検索要求に応じてウェブサイトを検索する検索手段を有することを特徴とする。
【００１２】
編集手段は、ウェブサイトの参照者の要求により設定されたウェブ情報信頼度に基づいて検索結果を編集することを特徴とする。
【００１３】
設定者に対して利用者により設定者信頼度が設定され、設定者信頼度を蓄積する設定者信頼度管理手段を有し、編集手段は設定者信頼度とウェブ情報信頼度とに基づいて検索結果を編集することを特徴とする。
【００１４】
また、本発明は、利用者端末と、利用者端末をグループ毎に管理する情報提供サーバがネットワークを介して通信可能とされており、利用者端末からの検索要求に応じた検索結果を情報提供サーバから利用者端末に提供する情報提供システムであって、情報提供サーバは利用者端末の検索要求に応じた検索結果を取得する検索結果取得手段と、利用者端末のグループを特定し、特定したグループに基づいてウェブ情報信頼度を取得し、取得したウェブ情報信頼度に基づいて検索結果取得手段で取得した検索結果を編集し、利用者端末に提供する編集手段とを有することを特徴とする。
【００１５】
利用者端末は、ウェブサイトを閲覧する閲覧手段と、閲覧手段にアドインし、閲覧手段と協働して情報提供サーバに利用者端末の情報を送信する利用端末情報送信手段とを有することを特徴とする。
【００１６】
さらに、本発明は、ネットワークを介して通信可能とされた端末からの検索要求に応じた検索結果を情報提供サーバから利用者端末に提供する情報提供方法であって、利用者端末からの検索要求に応じた検索結果を取得する検索手順と、利用者端末のグループを特定し、特定した利用者端末のグループに応じてウェブ情報信頼度を取得し、取得したウェブ情報信頼度に基づいて検索手順で取得した検索結果を編集し、利用者端末に提供する編集手順とを有することを特徴とする。
【００１７】
また、本発明は、コンピュータに、利用者端末からの検索要求に応じた検索結果を取得する検索結果取得手順と、利用者端末のグループを特定し、特定した利用者端末のグループに応じてウェブ情報信頼度を取得し、取得したウェブ情報信頼度に基づいて検索手順で取得した検索結果を編集し、利用者端末に提供する編集手順とを実行させることを特徴とするコンピュータ読み取り可能なプログラムである。
【発明の効果】
【００１８】
本発明によれば、利用者端末からの検索要求に応じた検索結果を取得し、利用者端末のグループを特定し、特定した利用者端末のグループに応じてウェブ情報信頼度を取得し、取得したウェブ情報信頼度に基づいて取得した検索結果を編集し、利用者端末に提供することにより、利用者端末の利用者は検索結果から本当に必要な情報、あるいは、質の高い情報を参照することができる。
【発明を実施するための最良の形態】
【００１９】
図１は本発明の一実施例のシステム構成図を示す。
【００２０】
本実施例の情報提供システム１００は、利用者端末（以下、単に端末とする）１１１と情報提供サーバ１１２とがネットワーク１１３を介して接続された構成とされている。
【００２１】
端末１１１は、コンピュータシステムから構成されており、その処理機能として、閲覧手段１２１、及び、ツールバー１２２を含む構成とされている。閲覧手段１２１は、いわゆる、ブラウザソフトであり、ウェブサイトを閲覧するためのプログラムである。ツールバー１２２は、閲覧手段１２１によるウェブページの閲覧機能を補助・強化するためのプログラムであり、本実施例では、情報提供サーバ１１２への利用者情報登録及び信頼度情報の登録機能、検索時に利用者情報を情報提供サーバ１１２に通知する機能が追加されている。
【００２２】
情報提供サーバ１１２は、コンピュータシステムから構成されており、その処理機能として、制御手段１３１、検索手段１３２、編集手段１３３、利用者情報管理手段１３４、信頼度管理手段１３５、データベース１３６を含む構成とされている。
【００２３】
制御手段１３１は、情報提供サーバ１１２の全体制御を行う。
【００２４】
検索手段１３２は、端末１１１からの検索要求により検索サイト１１６が検索した検索結果を、ネットワーク１１３を通じて取得し、編集手段１３３に提供する。なお、検索サイト１１６は、検索エンジンを搭載しており、ネットワーク１１３に存在するウェブページ、ウェブサイト、画像ファイル、ネットニュースなどの情報を検索する機能を提供するサーバやシステムから構成されている。
【００２５】
編集手段１３３は、データベース１３６に設定された信頼度情報に基づいて検索手段１３２から提供された検索結果を編集し、端末１１１に提供する。
【００２６】
利用者情報管理手段１３４は、データベース１３６に設定される利用者情報をデータベース１３６に登録する手段である。信頼度管理手段１３５は、信頼度情報をデータベース１３６に登録する手段である。データベース１３６は、利用者情報管理手段１３４及び信頼度管理手段１３５によって利用者情報、グループ情報、信頼度情報など各種情報が登録され、記憶されている。
【００２７】
図２はデータベース１３６のデータ関連図を示す。
【００２８】
データベース１３６は、利用者情報テーブル１４１、情報信頼度テーブル１４２、人信頼度テーブル１４３、コメント情報テーブル１４４、ウェブサイト情報テーブル１４５から構成されている。
【００２９】
利用者情報テーブル１４１は、利用者を識別するための利用者識別子、及び、利用者の氏名などから構成されている。例えば、図２では、利用者として、利用者識別子「Ｕ０１」として氏名「○山×男」、利用者識別子「Ｕ０２」として氏名「△藤□志」、利用者識別子「Ｕ０３」として氏名「×川△子」が登録されている。
【００３０】
また、情報信頼度テーブル１４２、人信頼度テーブル１４３、コメント情報テーブル１４４、ウェブサイト情報テーブル１４５は、共有グループ毎に設定される。
【００３１】
共有グループは、例えばＳＮＳ（Social Networking Site）などを利用して設定することができる。また、一人の利用者が複数の共有グループを持つことも可能である、例えば、一つの共有グループとして、自分の良く知らない人との協業、例えば、広域プロジェクト、全社、関連会社、他社等を持ち、他の共有グループとして自分の知っている人同士での作業、例えば、部内、事業部、趣味関係などによって分類することができる。このように、利用者、あるいは、端末１１１は、グループ毎に管理され、グループ毎に信頼度が設定されており、グループ毎に設定された信頼度に基づいて検索サイト１１６の検索結果の編集が行われる。
【００３２】
情報信頼度テーブル１４２は、ウェブサイト情報毎に設定され、信頼度が設定されているウェブサイト情報を識別するための情報識別子、信頼度を設定している利用者の人数、利用者を識別するための利用者識別子を含む構成とされている。例えば、図２では、情報識別子「Info01」のウェブサイト情報を信頼し、設定している利用者は利用者識別子「Ｕ０２」、「Ｕ０３」の２名であり、情報識別子「Info02」のウェブサイト情報を信頼して設定している利用者は利用識別子「Ｕ０１」の１名である。
【００３３】
なお、情報信頼度の低い情報を観る価値のない情報として管理し、公開するようにすることもできる。これによって無駄な情報を閲覧することを防止できる。また、情報信頼度を情報のリコメンド情報として活用することもできる。例えば、情報信頼度の高い情報を上級者向けの情報として設定し、情報信頼度の低い情報を初心者向けの情報として設定することも可能である。
【００３４】
人信頼度テーブル１４３は、利用者全員が共通に持っても良いし、利用者毎にこのテーブルを持つことが可能であり、登録されている利用者の技術分野毎に登録されている利用者を識別する利用者識別子、及び、その信頼度が設定された構成とされている。例えば、図２では、技術分野Ａのメンバとして信頼度１００の利用者識別子「Ｕ０１」の利用者及び、信頼度「５０」の利用者識別子「Ｕ０３」の利用者が登録され、技術分野「Ｂ」のメンバとして信頼度「８０」の利用者識別子「Ｕ０２」の利用者が登録されている。
【００３５】
共有グループ毎にスキルテンプレートを用いて、グループに属するメンバのスキルをプロフィールに自己申告するようにする。スキルテンプレートは、例えば、技術分野毎に０−１００の範囲で設定可能とされている。
【００３６】
まず、全メンバのスキルを分析し分野毎に「人信頼度」を初期設定し、運用中に順次更新する。このようにすることにより、信頼性を向上させることができる。
【００３７】
コメント情報テーブル１４４は、コメントが設定されているウェブサイトを識別するための情報識別子、コメントの設定者を識別するための利用者識別子、及び、そのウェブサイトに対するコメントであるコメント情報から構成されている。例えば、図２においては情報識別子「Info01」のウェブサイトに対して利用者識別子「Ｕ０１」の利用者が「情報が古い」旨のコメントを設定した状態である。
【００３８】
ウェブサイト情報テーブル１４５は、ウェブサイトを識別するための情報識別子、ウェブサイトのタイトル、ウェブサイトのＵＲＬから構成されている。例えば、図２では、識別子「Info01」、タイトル「調査資料Ａ」、ＵＲＬ「http://www.a.co.jp/・・・」のウェブサイト、識別子「Info02」、タイトル「調査資料Ｂ」、ＵＲＬ「http://www.ｂ.com/・・・」のウェブサイトが設定されている。
【００３９】
次に情報提供システム１００の動作を説明する。
【００４０】
図３、図４は本発明の一実施例の動作説明図を示す。
【００４１】
まず、ステップＳ１−１でユーザが端末１１１を操作することにより利用者識別子及び氏名を登録する指示を行うと、ステップＳ１−２で情報提供サーバ１１２は端末１１１からの指示に従って共有グループ毎に情報信頼度テーブル１４２、人信頼度テーブル１４３、コメント情報テーブル１４４、ウェブサイト情報テーブル１４５を作成する。次に、ステップＳ１−３で利用者によって情報提供サーバ１１２のデータベース１３６の情報信頼度テーブル１４２及び人信頼度テーブル１４３、コメント情報テーブル１４４、ウェブサイト情報テーブル１４５などが順次に設定される。
【００４２】
以上により検索結果を信頼度により編集することが可能となる。
【００４３】
次に、ステップＳ１−４でユーザにより端末１１１で検索操作が行われると、ステップＳ１−５で情報提供サーバ１１２は検索手段１３２によりウェブサイトの検索を行い、ステップＳ１−６で編集手段１３３により人信頼度情報及び情報信頼度情報に基づいて検索結果を編集し、ステップＳ１−７で編集結果を端末１１１に通知する。
【００４４】
ステップＳ１−８でユーザにより端末１１１が操作されて、信頼度設定者の問い合わせが行われると、ステップＳ１−９で情報提供サーバ１１２はデータベース１３６を参照して、信頼度設定者一覧を編集し、ステップＳ１−１０で端末１１１に通知する。
【００４５】
ユーザはステップＳ１−１１で端末１１１を操作することにより情報提供サーバ１１２のデータベース１３６に信頼度を登録することができる。
【００４６】
また、ステップＳ１−１２でユーザが端末１１１を操作することにより情報信頼度変更・削除の指示を行うと、情報提供サーバ１１２はステップＳ１−１３でデータベース１３６から情報信頼度を読み出し、変更・削除用の操作メニュー画面を編集して、ステップＳ１−１４でユーザに通知する。ステップＳ１−１５でユーザが操作メニュー画面に従って端末１１１により情報信頼度の変更・削除の操作を行うと、ステップＳ１−１６で情報提供サーバ１１２はデータベース１３６に操作内容を反映する。
【００４７】
また、ステップＳ１−１７でユーザにより端末１１１が操作され、信頼度情報の表示・追加・変更の指示が行われると、ステップＳ１−１８で情報提供サーバ１１２は操作メニュー画面を編集して、ステップＳ１−１９で端末１１１に通知する。
【００４８】
ステップＳ１−２０でユーザにより端末１１１が操作され、信頼度の変更・削除の指示が行われると、ステップＳ１−２１で情報提供サーバ１１２は信頼度の変更・削除を行う。
【００４９】
次に情報提供サーバ１１２の処理について説明する。
【００５０】
図５は情報提供サーバ１１２の処理フローチャートを示す。
【００５１】
情報提供サーバ１１２は、ステップＳ２−１で端末１１１から共有グループ作成指示があると、ステップＳ２−２で共有グループを構成するメンバの自己申告により人信頼度を設定する。
【００５２】
情報提供サーバ１１２は、ステップＳ２−３で端末１１１から信頼度適用指示があると、ステップＳ２−４で指示された情報信頼度、人信頼度を編集手段１３３に適用する。
【００５３】
また、情報提供サーバ１１２は、ステップＳ２−５で端末１１１から情報登録指示があると、ステップＳ２−６でデータベース１３６に情報信頼度、ウェブサイト情報、コメント情報などの指示された情報を登録する。
【００５４】
さらに、情報提供サーバ１１２は、ステップＳ２−７で端末１１１から情報操作指示があると、ステップＳ２−８で情報操作処理を実行する。なお、情報操作処理については後述する。
【００５５】
情報提供サーバ１１２は、ステップＳ２−９で端末１１１から情報検索指示があると、ステップＳ２−１０で情報検索処理を実行する。
【００５６】
次に、ステップＳ２−８の情報操作処理について説明する。
【００５７】
図６は情報操作処理の処理フローチャートを示す。
【００５８】
情報操作処理において、情報提供サーバ１１２はステップＳ３−１で編集手段１３３によりデータベース１３６を参照して、情報信頼度、人信頼度、ウェブサイト情報、コメント情報などを読み出し、その一覧を編集し、端末１１１に通知する。端末１１１では、編集された情報を一覧表示する。ユーザは、端末１１１に一覧表示された情報に基づいて情報の削除、変更などの操作を行う。
【００５９】
情報提供サーバ１１２は、ステップＳ３−２で端末１１１から情報変更指示があると、ステップＳ３−３でデータベース１３６を変更指示があった情報に変更する。また、情報提供サーバ１１２は、ステップＳ３−４で端末１１１から情報削除指示があると、ステップＳ３−５で選択された情報をデータベース１３６から削除する。
【００６０】
次に、ステップＳ２−１０の情報検索処理について説明する。
【００６１】
図７は情報検索処理の処理フローチャートを示す。
【００６２】
情報検索処理において、情報提供サーバ１１２はステップＳ４−１で検索手段１３２により端末１１１から要求された情報を検索する。情報提供サーバ１１２は、ステップＳ４−２で編集手段１３３により検索結果をデータベース１３６に登録されたウェブ情報の信頼度に基づいて編集して、端末１１１に通知する。端末１１１は情報提供サーバ１１２から通知された検索結果を表示する。
ユーザは端末１１１に表示された信頼度に基づいて編集されたウェブ情報により参照しようとする情報が信頼しうるものだけを参照する。これにより、無駄な情報を参照することを防止できる。
【００６３】
次に情報提供サーバ１１２は、ステップＳ４−３で端末１１１により検索結果に付与された信頼度が選択されると、ステップＳ４−４で選択された情報にウェブ情報の信頼度を設定した設定者の人信頼度を一覧編集して、端末１１１に通知する。端末１１１は、通知された人信頼度を表示する。
【００６４】
ユーザは、端末１１１に表示された人信頼度に基づいて検索された情報が信頼しうるものか否かを判定することができる。これにより、無駄な情報を参照することを防止できる。なお、人信頼度を掛け合わせたものを表示するようにして情報量を減らしても良い。
【００６５】
次に、端末１１１への操作画面例について説明する。
【００６６】
まず、信頼度登録時の操作について説明する。
【００６７】
図８は信頼度登録時の動作説明図を示す。図８（Ａ）は情報閲覧画面、図８（Ｂ）は情報信頼度設定画面を示している。
【００６８】
情報閲覧画面２１０は、情報信頼度を登録しようとしている情報の閲覧画面であり、図８（Ａ）に示すように記事表示欄２１１、及び、ＵＲＬ表示欄２１２、信頼度ボタン２１３を含む構成とされている。
【００６９】
情報閲覧画面２１０において信頼度ボタン２１３をクリックすることにより、図８（Ｂ）に示すような情報信頼度設定画面２２０が表示される。
【００７０】
情報信頼度設定画面２２０は、信頼度表示欄２２１、コメント表示欄２２２、ＵＲＬ表示欄２２３、利用者識別子表示欄２２４、登録ボタン２２５から構成されている。
【００７１】
ユーザは、信頼度表示欄２２１に信頼度を設定して、登録ボタン２２５をクリックすることにより信頼度表示欄２２１に設定した信頼度が情報提供サーバ１１２のデータベース１３６にhttp://www.a.co.jpの情報信頼度として登録、蓄積される。
【００７２】
次に、情報信頼度操作について説明する。
【００７３】
図９は情報信頼度操作時の操作メニューの画面構成図を示す。
【００７４】
情報信頼度操作、例えば、削除・変更操作時には、端末１１１には、ステップＳ１−１９で、例えば、図９に示すような操作メニュー２３０が情報提供サーバ１１２から通知されて、閲覧手段１２３によりディスプレイに表示される。
【００７５】
操作メニュー２３０は、情報毎に、削除指示欄２３１、変更指示欄２３２、信頼度表示欄２３３、タイトル表示欄２３４、ＵＲＬ表示欄２３５、コメント表示欄２３６が設定された構成とされている。
【００７６】
削除指示欄２３１をクリックすることにより、削除指示欄２３１にチェック「Ｖ」が表示され、チェックされた情報の信頼度の削除が指示される。また、変更指示欄２３２をクリックすることにより、変更指示欄２３２にチェック「Ｖ」が表示され、チェックされた情報の信頼度の変更が指示される。また、信頼度表示欄２３３には、現状の信頼度と変更後の信頼度が表示される。なお、例えば、信頼度表示欄２３３をクリックして、変更後の信頼度を入力することにより変更後の信頼度が設定できる。
【００７７】
また、タイトル表示欄２３４にはその情報のタイトルが表示され、ＵＲＬ表示欄２３５にはその情報のＵＲＬが表示される。さらに、コメント表示欄２３６には、その情報に設定されているコメントが表示される。
【００７８】
次に、人信頼度の表示例について説明する。
【００７９】
図１０は人信頼度表示画面の画面構成図を示す。
【００８０】
人信頼度表示画面２４０は、登録された人物毎に、分野表示欄２４１、氏名表示欄２４２、信頼度表示欄２４３が設定された構成とされている。
【００８１】
分野表示欄２４１には、信頼度が登録された人物の技術分野が表示される。氏名表示欄２４２には、信頼度が登録された人物の氏名が表示される。
【００８２】
信頼度表示欄２４３は、個人専用信頼度表示欄２４４及びグループ共有信頼度表示欄２４５から構成されている。個人専用信頼度表示欄２４４には、ユーザ個人が設定した信頼度が設定される。また、グループ共有信頼度表示欄２４５には、ユーザが属するグループで共有の信頼度が表示される。
【００８３】
ユーザは、上記信頼度表示画面２４０を参照することによって、人物の信頼度を認識でき、これによって、情報の信頼度の信頼度を評価できる。
【００８４】
次に人信頼度操作、追加・変更操作を説明する。
【００８５】
図１１は人信頼度操作時の操作メニューの画面構成図を示す。
【００８６】
人信頼度操作、例えば、追加・変更操作時には、端末１１１には、ステップＳ１−１９で、例えば、図１１に示すような人信頼度操作メニュー２５０が情報提供サーバ１１２から通知されて、閲覧手段１２３によりディスプレイに表示される。
【００８７】
人信頼度操作メニュー２５０は、人物毎に、追加指示欄２５１、変更指示欄２５２、分野表示欄２５３、氏名表示欄２５４、信頼度表示欄２５５が設定された構成とされている。
【００８８】
追加指示欄２５１をクリックすることにより、追加指示欄２５１にチェック「Ｖ」が表示され、チェックされた人物の信頼度を追加する指示が行われる。また、変更指示欄２５２をクリックすることにより、変更指示欄２５２にチェック「Ｖ」が表示され、チェックされた人物の信頼度の変更が指示される。
【００８９】
分野表示欄２５３には、信頼度が設定されている人物の技術分野が表示されている。氏名表示欄２５４には、信頼度が設定さている人物の氏名が表示される。
【００９０】
信頼度表示欄２５４は、個人専用信頼度表示欄２５６及びグループ共有信頼度表示欄２５７から構成されている。個人専用信頼度表示欄２５６及びグループ共有信頼度表示欄２５７には、各々現状の信頼度と変更後の信頼度が表示される。例えば、個人専用信頼度表示欄２５６及びグループ共有信頼度表示欄２５７をクリックして、変更後の信頼度を入力することにより変更後の信頼度が設定できる。
以上、本実施例によれば、信頼関係で結ばれたグループ中で、該当情報に詳しい者がブラウザにアドインしたツールバーで、インターネット情報の信頼度、技術レベル等を登録し、利用者は情報検索時にその登録された信頼度情報を参照することにより、利用者が容易に情報の信頼度を検討できる。
【００９１】
次に検索結果への信頼度表示について説明する。
【００９２】
図１２、図１３は検索結果表示時の画面構成図を示す。
【００９３】
図１２（Ａ）は情報信頼度「２」以上の検索結果を表示するように設定したときの表示例、図１２（Ｂ）は情報信頼度「１」以上の検索結果を表示するように設定したときの表示例、図１２（Ｃ）は全検索結果を表示するように設定したときの表示例を示している。図１３は複数の人物により情報信頼度が設定されている場合の表示例を示している。
【００９４】
ここで、調査Ａには情報信頼度「２」が設定され、調査Ｂには情報信頼度「１」が設定され、調査Ｃには情報信頼度は設定されていない。ユーザによって情報信頼度「２」以上の検索結果が表示されるように設定されている場合には、図１２（Ａ）に示すようにその検索結果としては調査Ａが表示される。
【００９５】
また、ユーザによって情報信頼度「２」以上の検索結果が表示されるように設定されている場合には、図１２（Ｂ）に示すようにその検索結果としては調査Ａ、調査Ｂが表示される。さらに、ユーザによって全検索結果が表示されるように設定されている場合には、図１２（Ｃ）に示すようにその検索結果としては調査Ａ、調査Ｂ、調査Ｃが表示される。
【００９６】
なお、情報信頼度は設定した人物によっても異なる。このため、図１３に示すように表示される信頼度を複数表示することが可能とされている。
【００９７】
図１３において、信頼度をクリックすることにより、人信頼度が表示される。これによって、どの人物が情報信頼度を設定し、その人物の信頼度がどれくらいかを認識することができる。これによりユーザは情報の信頼度をより正確に評価することが可能となる。
【００９８】
本実施例によれば、端末１１１からの要求に応じてウェブサイトを検索し、予め設定された信頼度に基づいて検索結果を編集し、端末に提供することにより、端末１１１の利用者は検索結果から質の高いウェブサイトを参照することができる。また、必要な情報を取得するまでに不要なサイトを参照する必要がなくなる。効率よく必要な情報を取得できる。
【００９９】
図１４は本発明の一実施例の第１変形例のシステム構成図を示す。同図中、図１と同一構成部分には同一符号を付し、その説明は省略する。
【０１００】
本変形例の情報提供システム３００は、端末３１１の構成が図１とは相違する。
【０１０１】
本実施例の端末３１１は、閲覧手段１２１によりウェブサイトの閲覧が可能とされており、ツールバー１２２による付加的機能を持たない。端末３１１は、ツールバー１２２を持たないため、情報提供サーバ１１２へのグループを特定するための利用者情報通知機能を持たない。よって、情報提供サーバ３１２への利用者情報の通知は、例えば、もう一つの閲覧画面を開き、そこで利用者情報等を設定することにより行っている。情報提供サーバ３１２は、制御手段１３１で端末３１１からの利用者情報等を受信し、編集手段１３３に提供する。編集手段１３３は、利用者情報等から利用者を特定し、利用者のグループを特定し、特定したグループに応じた信頼度に基づいて検索結果の編集を行い、利用者端末３１１に送信する。端末３１１は、閲覧手段１２１で開かれた閲覧画面に情報提供サーバ３１２からの編集された検索結果を表示する。
【０１０２】
図１５は本発明の一実施例の第２変形例のシステム構成図を示す。同図中、図１４と同一構成部分には同一符号を付し、その説明は省略する。
【０１０３】
本変形例の情報提供システム４００は、情報提供サーバ４１１の構成が図１とは相違する。
【０１０４】
本実施例の情報提供サーバ４１１は、検索手段４２１が検索エンジンを有する構成とされている。これによって、情報提供サーバ４１１自身によって情報の検索が可能となる。
【０１０５】
なお、例えば、図１に示す実施例では情報提供サーバ１１２に検索手段１３２、編集手段１３３、利用者情報管理手段１３４、信頼度管理手段１３５を組み込んだ構成について説明したが、編集手段１３３、利用者情報管理手段１３４、信頼度管理手段１３５を端末１１１に組み込み、情報提供サーバ１１２にデータベース１３６のみを持ち、端末１１１から利用者情報に基づいて情報提供サーバ１１２を検索して、グループ情報及び信頼度情報を取得し、端末１１１内部で検索サイト１１６からの検索結果を編集して閲覧手段１２１により閲覧するようにしてもよい。なお、図１４、図１５に示す変形例についても同様に端末１１１に検索・編集機能を組み込む構成とすることもできる。
【０１０６】
さらに、端末１１１に検索エンジンを組み込み、端末１１１自身で検索情報を取得して、編集するようにしてもよい。また、情報信頼度を設定する者は、グループの中でその分野の技術に詳しい認定者だけに限定して運用するようにしてもよい。
【０１０７】
なお、本発明は上記実施例に限定されるものではなく、本発明の要旨を逸脱しない範囲において種々の変形例が考えられることは言うまでもない。
【図面の簡単な説明】
【０１０８】
【図１】本発明の一実施例のシステム構成図である。
【図２】データベース１３６のデータ関連図である。
【図３】本発明の一実施例の動作説明図である。
【図４】本発明の一実施例の動作説明図である。
【図５】情報提供サーバ１１２の処理フローチャートである。
【図６】情報操作処理の処理フローチャートである。
【図７】情報検索処理の処理フローチャートである。
【図８】信頼度登録時の動作説明図である。
【図９】情報信頼度操作時の操作メニューの画面構成図である。
【図１０】人信頼度表示画面の画面構成図である。
【図１１】人信頼度操作時の操作メニューの画面構成図である。
【図１２】検索結果表示時の画面構成図である。
【図１３】検索結果表示時の画面構成図である。
【図１４】本発明の一実施例の第１変形例のシステム構成図である。
【図１５】本発明の一実施例の第２変形例のシステム構成図である。
【符号の説明】
【０１０９】
１００、２００、３００  情報提供システム
１１１  端末、１１２  情報提供サーバ、１１３  ネットワーク
１１５  ウェブサイト、１１６  検索サイト
１２１  閲覧手段、１２２  ツールバー
１３１  制御手段、１３２  検索手段、１３３  編集手段
１３４  利用者情報管理手段、１３５  信頼度管理手段、１３６  データベース
１４１  利用者情報テーブル、１４２  情報信頼度テーブル
１４３  人信頼度テーブル、１４４  コメント情報テーブル
１４５  ウェブサイト情報テーブル
【図１】
2008026990.tif 000003
【図２】
2008026990.tif 000004
【図３】
2008026990.tif 000005
【図４】
2008026990.tif 000006
【図５】
2008026990.tif 000007
【図６】
2008026990.tif 000008
【図７】
2008026990.tif 000009
【図８】
2008026990.tif 000010
【図９】
2008026990.tif 000011
【図１０】
2008026990.tif 000012
【図１１】
2008026990.tif 000013
【図１２】
2008026990.tif 000014
【図１３】
2008026990.tif 000015
【図１４】
2008026990.tif 000016
【図１５】
2008026990.tif 000017